(57)【要約】【課題】従来の金属収集具は片手で容易に分離処理できないので、片手でも容易に収集及び分離処理できるシンプルにして機能的な金属屑片処理器を提供する。【解決手段】容器２は上面が開口するものとし、該容器２に係合する蓋体３は、上面中央部に保持穴６付き突部５を形成した蓋体３とし、該蓋体３の内側開口部の中央突部内にガイド筒７を取り付けるとともに、該ガイド筒７内に磁石８をスライド自在に収めた後、前記保持穴６を介してつまみ９付き操作棒１０端部を前記磁石８に取り付けた上で、前記ガイド筒７の下端部に、蓋体３の開口部と同じ大きさの仕切り板１１を取り付けて成る蓋体３と容器２を一組とする金属屑片処理器１とする。【選択図】図１
2010285283.tif 000002
【特許請求の範囲】
【請求項１】
容器と蓋体を一組とする金属屑片処理器であって、前記する容器に係合する蓋体は、上面中央部に一定の高さの保持穴付き突部を形成する蓋体とし、該蓋体の内側開口部の中央には、前記突部から蓋体開口部より少し上がった部位まで至るガイド筒を取り付けるとともに、該ガイド筒内に磁石をスライド自在に収めるとともに、該磁石に前記保持穴を介してつまみ付き操作棒端部を取り付けて成るガイド筒下端部に、蓋体開口部を塞ぐ仕切り板を取り付けた蓋体と容器を組み合わせて成る構成を特徴とする金属屑片処理器。
【請求項２】
前記する容器と蓋体の開口部が、外ネジと内ネジで螺合する請求項１に記載する金属屑片処理器。
【請求項３】
前記する容器の開口部に、略漏斗状の内蓋を組み合わせた請求項１又は請求項２に記載する金属屑片処理器。
【請求項４】
前記する容器が透明素材で成る請求項１から請求項３のいずれかに記載する金属屑片処理器。
【発明の詳細な説明】
【技術分野】
【０００１】  本発明は、床面や卓上面に落ちた画鋲やホッチキス針の他に、金属工作における金属屑等を磁石で容易に吸着た上で、専用の容器にワンタッチで分離収納できる卓上型の金属屑片処理器に関する。
【背景技術】
【０００２】  従来、画鋲や針、ホッチキス針などを床面や机上面に置いたり落としたりした場合は、拾う時は注意しないと手や足に刺さるなどの危険があるので、ガムテープに付けて拾ったり、磁石に吸着させて拾っている。【０００３】  また、非磁性嵌合基盤の収納部に出し入れ自在に収めたスライド磁石板を組み合わせた金属片収集具に金属片を磁着させた後、前記スライド磁石板を移動させることで分離する器具の技術がある。（例えば、特許文献１参照）
【特許文献１】特開平１１−２９７５２６公報
【発明の開示】
【発明が解決しようとする課題】
【０００４】  従来のように画鋲や針などを粘着テープに付けて拾う方法は、取り外す時に注意しないと怪我をすることもあり、また磁石で磁着させた時は注意しながらひとつずつ剥がすなど面倒である。【０００５】  さらに特開平１１−２９７５２６公報に公知される技術は、板状の磁石を納めた金属片収集具を画鋲や針などに近づけて磁着した上で、磁石板をスライドさせることで金属屑片を分離させる器具であるが、要領よく行わないと金属片が引き出したスライド磁石板に直接磁着してしまう上、吸着分離作業を片手ではできないなどの欠点や不便のある金属片収集具であった。
【課題を解決するための手段】
【０００６】  本発明は前記する不便や欠点を解消するために、請求項１においては、容器と蓋体が一組とするものであって、前記する容器に係合する蓋体は、上面中央部に一定の高さの保持穴付き突部を形成する蓋体とし、該蓋体の内側開口部の中央には、前記突部から蓋体開口部より少し上がった部位まで至るガイド筒を取り付けるとともに、該ガイド筒内に磁石をスライド自在に収めるとともに、該磁石に前記保持穴を介してつまみ付き操作棒端部を取り付けて成るガイド筒下端部に、蓋体開口部を塞ぐ仕切り板を取り付けた蓋体と容器を組み合わせることで、簡単に蓋体を持って危険な金属片を吸着させ、かつワンタッチで容器内に分離収納できる金属屑片処理器とする【０００７】  請求項２においては、前記する容器と蓋体の開口部が、外ネジと内ネジで螺合する方式とすることで、うっかり落としても収納物が散乱しないものとする。【０００８】  請求項３においては、前記する容器の開口部に、略漏斗状の内蓋を組み合わせることで、使用中に容器を倒しても危険な金属屑片が飛び出さないものとする。【０００９】  請求項４においては、前記する容器を透明素材にすることにより、蓋を取らずに一目で金属屑片の収納量が分かるものとする。
【発明の効果】
【００１０】  本発明による金属屑片処理器は、手の平に載る程度の容器と蓋体二つを一組とするコンパクトな器具でありながら、その機能は従来には見られない下記のような機能や作用を得る効果的な金属屑片処理器を提供する。【００１１】  まず、その操作方法は、蓋体の突部を掴んでから拾いたい画鋲やホッチキス針、その他の金属屑に近ずけるかその上に置くだけで、内蔵した磁力で仕切板側に連続的に吸着でき、かつ、分離する際は専用の容器に組み合わせてから、蓋体の上部に突出している操作棒のつまみを引き上げると、磁石は仕切板から離れることで磁力が無くなるため、仕切板面に引き寄せられていた金属屑片は指で触れることなく瞬時に分離して容器内に安全に収納できるので、危険な金属屑片で指を傷付けたり周囲に飛び散らかす心配が全くない。【００１２】  さらに、ガイド筒を上下する磁石は、通常は自重で仕切板面に降りているので、そのまま蓋体をもって金属屑片に近づけるか置くだけで瞬時に磁着するため、子供や高齢者でも簡単にして安全に扱え、また収納した容器は透明であるので外から収納量が分かる。さらに構成もシンプルで機械的なパーツなど用いないので故障要因も少ないなど、家庭の卓上備品としても便利で、かつギフト対象商品としても活用できる金属屑片処理器である。
【発明を実施するための最良の形態】
【００１３】以下、本発明による金属屑片処理器の実施の形態を各図面に基づいて説明する。
【実施例１】  本発明による金属屑片処理器の実施例１を、図１に示す一部を欠いた分解斜視図と図２に示す蓋体の断面図、図３の一部を欠いた蓋体の作用例を示す参考図で説明する。【００１４】  第１実施例における金属屑片処理器１は、画鋲やホッチキスの針、工作等における金属屑片を収める容器２と、その容器２に着脱自在の蓋体３を組み合わせて成るものであって、まず前記する容器２は手の平に載る程度の大きさで、かつ上部は突縁４を有する透明素材で成る容器２を形成する。【００１５】  次に、前記容器２に組み合わされる蓋体３は、その蓋体３の下部の径が、前記容器２の突縁４に係合する大きさで、かつ、その上面は、中央部が一定の高さの突部５を形成するとともに、その突部５の頂部に保持穴６を設けた蓋体３を形成する。【００１６】  さらに、以上のように形成した前記蓋体３の内側には、下端より約１０ｍｍ前後上がった位置から突部５の内側端部まで達する長さのガイド筒７を取り付け、そのガイド筒７内に上下にスライドする磁石８を収めて後、前記ガイド筒７より約２倍ほど長い棒につまみ９を取り付けた操作棒１０の下端部を、前記保持穴６を介してガイド筒７内の磁石８に取り付けた後、その磁石８を収めたガイド筒７下端部に、前記蓋体３の開口部を塞ぐ大きさの薄い仕切板１１を取り付けて成る蓋体３を形成する。以上のように形成した蓋体３と前記した容器２の二つを一組とする合成樹脂素材で成る金属屑片処理器１を構成する。【００１７】  第Ｉ実施例による金属屑片処理器１の蓋体３は、画鋲や針、工作等による金属屑片Ａなどを吸い付ける磁石８を収めたガイド筒７を、蓋体３の内側中央部の突部５に取り付け、かつ、そのガイド筒７内の磁石８には、ガイド筒７より長いつまみ９付き操作棒１０を取り付けているので、使用する際は、図３の作用例図に示すようにつまみ９を上下するに連動して磁石８も自在に上下するとともに、磁石８の重みで仕切板１１面に位置すると、薄い仕切板１１を透過した磁力により金属屑片Ａを仕切板１１の下部に磁着できる状態となる。【００１８】  次に、蓋体３を持って金属屑片Ａに近ずけるか上部に重ねると、仕切板１１を透過した磁力によって瞬時に金属屑片Ａを吸い付けて保持させた後、そのまま容器２に重ねた上で前記するつまみ９を引き上げると、仕切板１１下面に磁着した金属屑片Ａから磁石が遠ざかることによって磁力が無くなる結果、図３の使用例図に示すように自動的に仕切板１１面から金属屑片Ａが瞬時に分離して容器２内に落下収納できるものとなる。
【実施例２】  本発明における金属屑片処理器の実施例２を、図４の組み合わせ状態の断面図と図５に示す一部を欠いた分解斜視図で説明する。【００１９】  実施例２に示す金属屑片処理器１の基本構成は前記実施例１と同じであるが、容器２と蓋体３はネジで螺合し、かつ容器２の開口部には漏斗状の内蓋１２が組み合わせるものとする。【００２０】  さらに詳述すると、容器２は透明で上部は開口するが、その開口部は外ネジ１３を施すとともに、さらに容器２の開口部には、内側が傾斜して断面形状が漏斗状で外側に係止縁１４を設けた少しきつめに収まる内蓋１２を組み合わせた容器２に、前記実施例１と同様に、蓋体３の上面中ほどに一定の高さの突部５を設け、かつその内側には、下端より約１０ｍｍほど上がった位置から突部５の内側端部まで達する長さのガイド筒７を取り付け、そのガイド筒７内に上下にスライドする磁石８を納めて後、つまみ９付き操作棒１０の下端部を取り付けたガイド筒７下端部に、前記蓋体３の開口部を塞ぐ大きさの薄い仕切板１１を取り付けた蓋体３の下部開口部に、前記する容器２の外ネジ１３に係合する内ネジ１５を施した蓋体３を、前記する容器２の外ネジ１３螺合させて成る実施例２の金属屑片処理器１を構成する。【００２１】  本考案による実施例２の基本構成は前記する実施例１と同じであるが、容器２の開口部は外ネジ１３を設け、それに係合する蓋体３の開口部は内ネジ１５を設けたものが螺合しているので、金属屑片Ａを収めた容器２はしっかりと閉じられるので、うっかり倒したり落としても危険な中身が散乱することは無い。さらに容器２の開口部には漏斗状の係止縁１４付き内蓋１１を組み合わせられるので、磁石８付き蓋体３を用いて金属屑片Ａを収集して分離収納する際に中央に集めるようにしてスムーズに収められ、また容器２を倒したりしても内蓋１２は内側に傾斜する漏斗状を成すので、容器２内の金属屑片Ａが容易に飛び出すのを防ぐことができる金属屑片処理具１を形成する。【００２２】  本発明における容器２透明素材が好ましいが不透明でもよい。また実施例２における容器２と蓋体３の開口部は互いに係合する外ネジ１３や内ネジ１５を施しているが、スムーズに係合すればどちらがオスメスでも問わないし、その形状は他の螺合方式でも構わないものであり、いずれも特に限定されないものとする。
【図面の簡単な説明】
【００２３】
【図１】本発明による金属屑片処理器の実施例１を示す一部を欠いた分解斜視図である。
【図２】本発明の金属屑片処理器の実施例１の蓋体を示す断面図である。
【図３】本発明の金属屑片処理器の実施例１の蓋体の作用例を示す参考図である。
【図４】本発明の金属屑片処理器の実施例２を示す、容器に蓋体を組み合わせた状態を示す断面図である。
【図５】本発明による金属屑片処理器の実施例２を示す、一部を欠いた分解斜視図である。
【符号の説明】
【００２４】  １・・金属屑片処理器、２・・容器、３・・蓋体、４・・突縁、５・・突部、６・・保持穴、７・・ガイド筒、８・・磁石、９・・つまみ、１０・・操作棒、１１・・仕切板、１２・・内蓋、１３・・外ネジ、１４・・係止縁、１５・・内ネジ、Ａ  金属屑片
【図１】
2010285283.tif 000003
【図２】
2010285283.tif 000004
【図３】
2010285283.tif 000005
【図４】
2010285283.tif 000006
【図５】
2010285283.tif 000007